(57)【要約】【課題】  本発明が解決しようとする課題は、固体発光素子に最適な反射鏡を用いる事により省エネルギーで明るい固体発光素子ランプを提供することである。【手段】本発明の反射鏡付き固体発光素子ランプは最適な反射鏡（反射材）を使用することにより固体発光素子からの拡散放射光の全ての放射光を前方に照射させる構造を特徴とする。また、砲弾型ＬＥＤ内部のメタルリード・メタルステム等と形称される発光素子部分近傍に最適な反射鏡を配置することにより固体発光素子からの拡散放射光の全ての放射光を前方に照射させる構造を特徴とする。【選択図】図１
2006190559.tif 000002
【特許請求の範囲】
【請求項１】
本発明は、回転放物面鏡（または円錐状反射鏡）もしくは、二枚の反射鏡（反射材）を約９０度から３０度程度の角度に合わせ、その接点近傍に固体発光素子を配置して固体発光素子からの拡散放射光の全ての放射光を前方に必要な照射面積のみ照射させ、反射集光により照射力を向上させる構造を特徴とする反射鏡付き固体発光素子ランプである。
【請求項２】
請求項１の回転放物面鏡（または円錐状反射鏡）を砲弾型ＬＥＤのメタルリード・インナーリード・メタルステム・メタルポスト等と形称される発光素子部分近傍に配置することにより固体発光素子からの拡散放射光の全ての放射光を前方に照射させる構造を特徴とする反射鏡付き固体発光素子ランプである。
【発明の詳細な説明】
【技術分野】
【０００１】
本発明は、反射鏡付き固体発光素子ランプに関する。
【背景技術】
【０００２】
現在、使用されている固体発光素子（ＬＥＤ等）照明器具とは、ＬＥＤの輝度の高さをいかした遠距離からの視認性の良さで信号灯や大型ディスプレイ等に使用されている。
【特許文献１】特開平０９−２６５８０７号
【特許文献２】特開２００３−１２４５２９号
【発明の開示】
【発明が解決しようとする課題】
【０００３】
本発明が解決しようとする課題は、砲弾型ＬＥＤは透明な樹脂でレンズ一体成型されているために指向角により放射光に円形のリングが発生するなど照射面の明るさが均一にならない。また、砲弾型ＬＥＤの発光素子の側方から斜め前方にかけての放射光がレンズ部分を通過しないため屈折せず前方に放出されること無く側方から斜め前方までの放射光は拡散している。また、ＬＥＤを使用した照明器具の大半はＬＥＤの特性や指向角等を理解せず製造された物が多く反射鏡等は、従来の電球と同様の使用方法をとっている為、ＬＥＤ本体の後方に板状に配置しているか、ＬＥＤを後方から包み込むように広角の放物面鏡が配置してあり反射鏡としての機能を果たしていない。そこで、固体発光素子に最適な反射鏡を用いる事により省エネルギーで明るい固体発光素子ランプを提供することである。
【課題を解決するための手段】
【０００４】
本発明の反射鏡付き固体発光素子ランプは回転放物面鏡（または円錐状反射鏡）もしくは、二枚の反射鏡（反射材）を約９０度から３０度程度の角度に合わせ、その接点近傍に固体発光素子を接点とは逆方向に設置して固体発光素子からの拡散放射光の全ての放射光を前方必要な照射面積のみ照射させ、反射集光により照射力を向上させる構造を特徴とする。
【０００５】
また、前記の回転放物面鏡（または円錐状反射鏡）を砲弾型ＬＥＤ内部のメタルリード・      インナーリード・メタルステム・メタルポスト等と形称される発光素子部分近傍に配置することにより固体発光素子からの拡散放射光の全ての放射光を前方に照射させる構造を特徴とする。
【発明の効果】
【０００６】
本発明の反射鏡付き固体発光素子電球は側方から斜め前方への放射光を反射鏡により  重複反射させて明るさを増させる構造なので照射面積が三分の一になると、三倍のあかるさになり、照射面積が十分の一になると、十倍のあかるさになる。従って、必要な照射面に固体発光素子の放射光を集中させることが可能なので数分の一から数十分の一の消費電力で同じ照度を有する固体発光素子ランプが開発できた。また、砲弾型ＬＥＤ内部に側方拡散防止用の反射鏡を設置することにより、ＬＥＤの素子発光部の側方から斜め前方に拡散していた二割近い光も前方に照射され輝度がアップする。
【発明を実施するための最良の形態】
【０００７】
本発明は固体発光素子の発光部を回転放物面鏡（または円錐状反射鏡）やＶ字型反射鏡の最深部から放光部に向けて配置し、側方から斜め前方にかけての放射光を前方放射させる。また、一般的な砲弾型ＬＥＤのマウントリード（メタルポスト）・メタルステム（インナーリード）等と形称される発光素子部分近傍に拡散防止用に回転放物面鏡（または円錐状反射鏡）を設置し、素子発光部から照射される側方から斜め方向の放射光を全て前方照射させる。
【実施例】
【０００８】
以下、本発明の実施例にもとづき図面を用いて説明する。
図１の投光器及び、車両用ヘッドライト仕様の反射鏡付き固体発光素子ランプの試作品においては、交流仕様の物は本体５の一端の口金４内部に抵抗１１及び整流器１２を設置し、直流仕様の物は本体５の一端の口金４内部に抵抗１１のみを設置し、二枚の反射鏡（反射材）９の接点最深部に設置された固体発光素子１に電気供給線３を通じて通電・発光させる構造である。
【０００９】
図２の投光器及び、車両用ヘッドライト仕様の反射鏡付き固体発光素子ランプの試作品においては、交流仕様の物は本体５の一端の口金４内部に抵抗１１及び整流器１２を設置し、直流仕様の物は本体５の一端の口金４内部に抵抗１１のみを設置し、回転放物面鏡（または円錐状反射鏡）２の最深部に設置された固体発光素子１に電気供給線３を通じて通電・発光させる構造である。
【００１０】
図３の蛍光灯タイプの試作品においては、請求項１の反射鏡（反射材）９を２枚、本体５内部に設置してその接点近傍に固体発光素子１を設置する。固体発光素子１から放射される放射光１０を反射鏡（反射材）９で反射させ全て前方に照射させる構造を特徴とする蛍光灯タイプの反射鏡付き固体発光素子ランプであり、消費電力５ワットで２０ワットの蛍光灯と同等の明るさであった。しかし、反射鏡（反射材）９を取り外すと６ワットの蛍光灯と同等の明るさであった。
【００１１】
図４は、図３の側面図であり本体５の一端に整流器１２を有する。側面からは内部が見えない為、反射鏡（反射材）９しか記せない。
【００１２】
図５の電球タイプの試作品においては、請求項１記載の一部分を切除した複数の回転放物面鏡（または円錐状反射鏡）２の頭頂部内に固体発光素子１を配置し、本体５に取付けられた口金４内部の整流器１２や抵抗１１を通じて交流電流を直流電流に変換して電気供給線３により通電する電球タイプの反射鏡付き固体発光素子ランプであり、照射面はスポットライトの様に前方のみであるが、２ワットの消費電力で４０ワットの電球と同等の明るさであった。
【００１３】
図６は、電球タイプ試作品の反射鏡付き固体発光素子ランプの正面図である。本体５内部の複数の回転放物面鏡（または円錐状反射鏡）２内部に固体発光素子１が設置してある。
【００１４】
図７は、一般的な砲弾型ＬＥＤの放射光の放射状態を説明した説明図であり、メタルステム（インナーリード）８上の固体発光素子１の放射光１０aから放射光１０b および放射光１０a'から放射光１０b'が砲弾型ＬＥＤ本体６のレンズ部分を通過せずに側方から斜め前方に拡散照射されている。
【００１５】
図８は図７の一般的な砲弾型ＬＥＤのメタルステム（インナーリード）８の固体発光素子１の放射光１０が砲弾型ＬＥＤ本体６のレンズ部分を通過するように回転放物面鏡（または円錐状反射鏡）２を設置した説明図である。
【００１６】
図９は図７の一般的な砲弾型ＬＥＤのマウントリード（メタルポスト）７とメタルステム（インナーリード）８全体を小型の回転放物面鏡（または円錐状反射鏡）２で後方から包み込み固体発光素子１の放射光１０を砲弾型ＬＥＤ本体６のレンズ部分を通過するように回転放物面鏡（または円錐状反射鏡）２を設置した説明図である。
【００１７】
図１０は図５の一般的な砲弾型ＬＥＤのマウントリード（メタルポスト）７の先端部分を小型の回転放物面鏡（または円錐状反射鏡）２に形成し中央凹部に固体発光素子１を設置した図である。
【００１８】
図１１は一般的な懐中電灯の回転放物面鏡（または円錐状反射鏡）２による電球１３の放射光１０の反射状態を説明した説明図である。
【００１９】
図１２は一般的なＬＥＤ懐中電灯の回転放物面鏡（または円錐状反射鏡）２に設置された砲弾型ＬＥＤ本体６の反射の起こらない放射光１０の放射状態を説明した説明図である。
【図面の簡単な説明】
【００２０】
【図１】反射鏡（反射材）仕様の投光器（車両用ヘッドライト）の反射鏡付き固体発光素子ランプの斜視図である。
【図２】回転放物面鏡（または円錐状反射鏡）使用の投光器（車両用ヘッドライト）の反射鏡付き固体発光素子ランプの斜視図である。
【図３】蛍光灯タイプの反射鏡付き固体発光素子ランプの断面図である。
【図４】蛍光灯タイプの反射鏡付き固体発光素子ランプの側面図である。
【図５】電球タイプの反射鏡付き固体発光素子ランプの断面図である。
【図６】電球タイプの反射鏡付き固体発光素子ランプの正面図である。
【図７】一般的な砲弾型ＬＥＤの放射光の放射状態を説明した説明図である。
【図８】砲弾型ＬＥＤのメタルステムに円錐状反射鏡を設置した説明図である。
【図９】砲弾型ＬＥＤのマウントリードとメタルステムを後方から回転放物面鏡で包み込んだ説明図である。
【図１０】砲弾型ＬＥＤのメタルステムに回転放物面鏡を設置した説明図である。
【図１１】一般的な懐中電灯の放射光の反射状態を説明した説明図である
【図１２】一般的なＬＥＤ懐中電灯の放射光の反射状態を説明した説明図である
【符号の説明】
【００２１】
１    固体発光素子
２    回転放物面鏡（または円錐状反射鏡）
３    電気供給線
４    口金
５    本体
６    砲弾型ＬＥＤ本体
７    マウントリード・メタルポスト
８    メタルステム（インナーリード）
９    反射鏡（反射材）
１０  放射光
１１  抵抗
１２  整流器
１３  電球
【図１】
2006190559.tif 000003
【図２】
2006190559.tif 000004
【図３】
2006190559.tif 000005
【図４】
2006190559.tif 000006
【図５】
2006190559.tif 000007
【図６】
2006190559.tif 000008
【図７】
2006190559.tif 000009
【図８】
2006190559.tif 000010
【図９】
2006190559.tif 000011
【図１０】
2006190559.tif 000012
【図１１】
2006190559.tif 000013
【図１２】
2006190559.tif 000014